(57)【要約】【課題】下半身の動きに対して追従しやすく履き心地のよいボクサーパンツを提供する。【解決手段】ボクサーパンツ１００は、第１の方向（ストレッチラインＳに沿った方向）とこの第１の方向と略直交する第２の方向とで伸縮性が異なるヨコ編地を用いて形成され、第１の方向（ストレッチラインＳに沿った方向）の伸縮性が第２の方向の伸縮性よりも大きく、第１の方向（ストレッチラインＳに沿った方向）が第２の方向よりもよく伸びてよく縮む。ボクサーパンツ１００は、ボクサーパンツ１００を着用した起立状態を腹側から見た場合に少なくとも中央部以外は第１の方向（ストレッチラインＳに沿った方向）が斜め方向であり、ボクサーパンツ１００を着用した起立状態を背中側から見て第１の方向（ストレッチラインＳに沿った方向）が上下方向である。【選択図】図１
2019112763.tif 000002
【特許請求の範囲】
【請求項１】
第１の方向と前記第１の方向と略直交する第２の方向とで伸縮性が異なる編地を用いた下半身用衣類であって、
前記第１の方向の伸縮性が前記第２の方向の伸縮性よりも大きく、前記第１の方向が前記第２の方向よりもよく伸びてよく縮み、
平面上に載置した前記下半身用衣類を腹側から見た場合に少なくとも中央部以外は前記第１の方向が斜め方向であり、
平面上に載置した前記下半身用衣類を背中側から見て前記第１の方向が上下方向であることを特徴とする、下半身用衣類。
【請求項２】
第１の方向と前記第１の方向と略直交する第２の方向とで伸縮性が異なる編地を用いた下半身用衣類であって、
前記第１の方向の伸縮性が前記第２の方向の伸縮性よりも大きく、前記第１の方向が前記第２の方向よりもよく伸びてよく縮み、
前記下半身用衣類を着用した起立状態を腹側から見た場合に少なくとも中央部以外は前記第１の方向が斜め方向であり、
前記下半身用衣類を着用した起立状態を背中側から見て前記第１の方向が上下方向であることを特徴とする、下半身用衣類。
【請求項３】
前記下半身用衣類は、下腹部および臀部を少なくとも被覆する下肢用衣類であって、
前記腹側から見た前記第１の方向が、前記下腹部における斜め方向であり、
前記背中側から見た前記第１の方向が、前記臀部における上下方向であることを特徴とする、請求項１または請求項２に記載の下半身用衣類。
【請求項４】
前記下半身用衣類は、下腹部および臀部を少なくとも被覆する下肢用衣類であって、
１枚の編地の編地端どうしで接合されていることを特徴とする、請求項１〜請求項３のいずれかに記載の下半身用衣類。
【請求項５】
前記下半身用衣類は、前記１枚の編地に加えて腹側から見た場合に中央部に位置して膨出部を形成する中央部編地をさらに含み、前記１枚の編地の編地端どうしで接合されているとともに前記１枚の編地と前記中央部編地とが接合されていることを特徴とする、請求項４に記載の下半身用衣類。
【発明の詳細な説明】
【技術分野】
【０００１】
本発明は、脚部と腹部と臀部とを被覆するパンティ部を備えたタイツやストッキング等、腹部と臀部とを被覆する下半身肌着であるボクサーパンツ（ボクサーショーツ）やガードル等の下半身用衣類に関し、下半身の動きに対して追従しやすく履き心地のよい下半身用衣類に関する。なお、本発明における下半身用衣類は男性用および女性用に限定されないことに加えて、少なくとも腹部と臀部とを被覆する下半身用衣類であればよく、脚部を備える場合には脚部を被覆する丈の長さには特に限定されるものではない。また、肌着用であってもスポーツ用であっても構わず、その用途は限定されるものではない。なお、腹部とは主として下腹部を指すものである。
【背景技術】
【０００２】
伸縮性が大きい（よく伸びてよく縮む）生地および／または緊締力の大きい（伸びにくく締め付けて身体に密着する）生地を採用して、これらの生地を適宜使い分けた下半身用衣類が知られている。なお、この生地としては伸縮性の観点から編地が特に好ましい。このような下半身用衣類の１つとして、肌着が挙げられる。ここで、肌着は、均一な着圧分布で良好なフィット感を確保するとともに、身体の動きに対して突っ張り感やだぶつき感が生じることなく、着用時の美観を向上させる機能を備える。
【０００３】
このような肌着の１つであるボクサーパンツは、平面的な基準パターンに沿って裁断された身頃部、マチ部、前立て部の各生地片を縫製することにより構成されている。このような生地片として、日常生活での様々な動作を行なう際に、その動きを妨げないように伸縮性を備えたフライス編等のヨコ編地が用いられることが多い。
しかし、身体を平面上に投影したような平面的なパターンに沿って裁断された生地片を縫製して立体形状に仕立て上げても、三次元の複雑な曲面形状を呈する人の腹部、臀部、脚部に対応するのは極めて困難であり、不快な着圧を回避するためにパターンを大きめに構成すると、だぶつきが生じて脚部が臀部側に引き上がったりして着心地が悪くなるばかりか美観が損なわれるという問題点があった。そのため、本願出願人により、この問題点を解決する肌着が開発されて、特開２０１６−０５０３６７号公報（特許文献１）に開示されている。この特許文献１に開示された肌着は、身頃部と、前立て部と、マチ部とを備え、身頃部と身頃部に形成された前刳りに接合される前立て部とで形成される胴部上縁に腰部緊締部材が設けられ、身頃部と身頃部に形成された股刳りに接合されるマチ部とで脚部を挿通する裾部が形成されている肌着であって、刳り深さ方向に沿って刳り幅が次第に大きくなり刳り幅が最大になる部位を備え、最大刳り深さが臀溝に対応する位置またはその近傍位置となる後股刳りが形成されている。
【先行技術文献】
【特許文献】
【０００４】
【特許文献１】特開２０１６−０５０３６７号公報
【発明の概要】
【発明が解決しようとする課題】
【０００５】
上述した特許文献１に開示された肌着（実施の形態に例示されたボクサーパンツ）によると、後股刳りの刳り幅が刳り深さ方向に沿って次第に大きくなり、刳り幅が最大になる部位を備えているので、刳り幅が小さい部位ほど裾部の生地量が増し、大腿部の周囲、特に臀溝下部で十分な生地量が確保できるようになり、最大刳り深さが臀溝に対応する位置またはその近傍位置に設定されているので、臀部の膨出部位を覆う後身頃の生地量も十分に確保できるようになる。その結果、臀部膨出部から臀溝及び脚部にかけて三次元の複雑な曲面形状に沿ってバランス良く生地が配され、臀部及び大腿部周りの着圧バランスが適正になり、良好なフィット感が得られるようになる点で非常に好ましい。
【０００６】
ところで、本願出願人は、特許文献１の図１０（ａ）に開示された従来の肌着（ボクサーパンツ）のパターン図に鑑みて、特許文献１に開示された肌着とは異なるアプローチで、着用性の好ましい肌着の開発を鋭意進めた。より具体的には、特許文献１に開示された
肌着のようにパターン図の形状を工夫するのではなく、従来のパターン図に第１の方向とこの第１の方向と略直交する第２の方向とで伸縮性が異なるという特性を備えた編地をその方向性を考慮して採用することに着目して開発を鋭意進めた。
【０００７】
しかしながら、このような編地を単に採用しても、着用性の好ましい肌着を容易には実現することができないという問題点があった。
本発明は、従来技術の上述の問題点に鑑みて開発されたものであり、その目的とするところは、主として腹部と臀部とを被覆する下半身用衣類に関し、下半身の動きに対して追従しやすく履き心地のよい下半身用衣類を提供することである。
【課題を解決するための手段】
【０００８】
上記目的を達成するため、本発明に係る下半身用衣類は以下の技術的手段を講じている。
すなわち、本発明のある局面に係る下半身用衣類は、第１の方向と前記第１の方向と略直交する第２の方向とで伸縮性が異なる編地を用いた下半身用衣類であって、前記第１の方向の伸縮性が前記第２の方向の伸縮性よりも大きく、前記第１の方向が前記第２の方向よりもよく伸びてよく縮み、平面上に載置した前記下半身用衣類を腹側から見た場合に少なくとも中央部以外は前記第１の方向が斜め方向であり、平面上に載置した前記下半身用衣類を背中側から見て前記第１の方向が上下方向であることを特徴とする。
【０００９】
また、本発明の別の局面に係る下半身用衣類は、第１の方向と前記第１の方向と略直交する第２の方向とで伸縮性が異なる編地を用いた下半身用衣類であって、前記第１の方向の伸縮性が前記第２の方向の伸縮性よりも大きく、前記第１の方向が前記第２の方向よりもよく伸びてよく縮み、前記下半身用衣類を着用した起立状態を腹側から見た場合に少なくとも中央部以外は前記第１の方向が斜め方向であり、前記下半身用衣類を着用した起立状態を背中側から見て前記第１の方向が上下方向であることを特徴とする。
【００１０】
好ましくは、前記下半身用衣類は、下腹部および臀部を少なくとも被覆する下肢用衣類であって、前記腹側から見た前記第１の方向が、前記下腹部における斜め方向であり、前記背中側から見た前記第１の方向が、前記臀部における上下方向であるように構成することができる。
さらに好ましくは、前記下半身用衣類は、下腹部および臀部を少なくとも被覆する下肢用衣類であって、１枚の編地の編地端どうしで接合されているように構成することができる。
【００１１】
さらに好ましくは、前記下半身用衣類は、前記１枚の編地に加えて腹側から見た場合に中央部に位置して膨出部を形成する中央部編地をさらに含み、前記１枚の編地の編地端どうしで接合されているとともに前記１枚の編地と前記中央部編地とが接合されているように構成することができる。
【発明の効果】
【００１２】
本発明によれば、下半身の動きに対して追従しやすく履き心地のよい下半身用衣類を提供することができる。
【図面の簡単な説明】
【００１３】
【図１】本発明の実施の形態に係るボクサーパンツを着用した着用者を、（Ａ）腹側から見た正面図および（Ｂ）背中側から見た背面図である。
【図２】図１のボクサーパンツを平面に載置した状態における、（Ａ）正面図および（Ｂ）背面図である。
【図３】（Ａ）図１のボクサーパンツの型紙を示す平面図（紙面表面が肌に当接する面）および（Ｂ）図１のボクサーパンツとは異なるボクサーパンツの型紙を示す平面図である。
【図４】図３（Ｂ）のボクサーパンツの型紙における第１の方向および第２の方向を説明する平面図である。
【図５】本発明の実施の形態の変形例に係るボクサーパンツを着用した着用者を、（Ａ）腹側から見た正面図および（Ｂ）背中側から見た背面図である。
【図６】図５のボクサーパンツを平面に載置した状態における、（Ａ）正面図および（Ｂ）背面図である。
【図７】図５のボクサーパンツの型紙を示す平面図である。
【発明を実施するための形態】
【００１４】
以下、本発明の実施の形態として、下半身用衣類の一例であるボクサーパンツ１００を、図面に基づき詳しく説明する。なお、本発明に係る下半身用衣類は、ボクサーパンツに限定されるものではなく、主として腹部と臀部とを被覆する下半身用衣類であれば構わず、さらに脚部を被覆する下半身用衣類であっても構わず、脚部を備える場合には脚部を被覆する丈の長さには特に限定されるものではない。
【００１５】
図１（Ａ）はボクサーパンツ１００を着用した着用者の正面図（腹側から見た図）であって、図１（Ｂ）はその背面図（背中側から見た図）であって、図２（Ａ）はボクサーパンツ１００を平面に載置した状態における正面図であって、図２（Ｂ）はその背面図である。これらの図１および図２において伸縮性の大きい第１の方向は、仮想的に図示したストレッチラインＳに沿った方向である。さらに、図３（Ａ）はこのボクサーパンツ１００の型紙を示す平面図（紙面表面が肌に当接する面）であって、図３（Ｂ）はこのボクサーパンツ１００とは異なるボクサーパンツ２００の型紙を示す平面図であって、図４は図３（Ｂ）に示したボクサーパンツ２００の型紙における第１の方向およびその第１の方向に略直交する第２の方向を説明する平面図である。
【００１６】
ここで、ボクサーパンツ１００とボクサーパンツ２００との差異は、ボクサーパンツ１００が膨出部Ｂを備えるがボクサーパンツ２００がこのような膨出部Ｂを備えない点である。この膨出部Ｂは、図１（Ａ）に示すようにボクサーパンツ１００を着用した起立状態を腹側から見た場合に中央部に表されるとともに、図２（Ａ）に示すように平面上に載置したボクサーパンツ１００を腹側から見た場合に中央部に表される。この膨出部Ｂは、男性の局部を収納するための膨らみを実現するためのものであって下腹部Ｕの中央部に備えられている。なお、この膨出部Ｂは本発明に係る下半身用衣類に必須の構成要件ではないが（そのため本発明に係る下半身用衣類は男性用および女性用に限定されるものではない）、膨出部Ｂを設ける場合には伸縮性の大きい第１の方向が仮想的に図示したストレッチラインＳに沿った方向であることが好ましい。
【００１７】
これらの図に基づいて、ボクサーパンツ１００について詳しく説明する。
このボクサーパンツ１００は、第１の方向（ストレッチラインＳに沿った方向）とこの第１の方向と略直交する第２の方向とで伸縮性が異なる編地を用いて形成されている。ここでは、第１の方向（ストレッチラインＳに沿った方向）の伸縮性が第２の方向の伸縮性よりも大きく、第１の方向（ストレッチラインＳに沿った方向）が第２の方向よりもよく伸びてよく縮む方向であるとする。
【００１８】
そして、より具体的には、このボクサーパンツ１００は、このような編地としてヨコ編地を採用している。ヨコ編地においては、編糸が進む方向であるヨコ方向が（タテ方向よりも）よく伸びてよく縮む第１の方向（ストレッチラインＳに沿った方向）になる。その結果、ストレッチラインＳに沿った方向がヨコ編地のヨコ方向（第１の方向）でストレッチラインＳに沿った方向と略直交する方向がヨコ編地のタテ方向（第２の方向）になる。
【００１９】
なお、本発明に係る下半身用衣類に用いられる編地はヨコ編地に限定されるものではなくタテ編地であっても構わない、タテ編地においては、編糸が進む方向であるタテ方向が（ヨコ方向よりも）よく伸びてよく縮む第１の方向（ストレッチラインＳに沿った方向）になる。その結果、ストレッチラインＳに沿った方向がタテ編地のタテ方向（第１の方向）でストレッチラインＳに沿った方向と略直交する方向がタテ編地のヨコ方向（第２の方向）になる。
【００２０】
ここで、本発明に係る下半身用衣類の一例であるボクサーパンツの構造（たとえば、編地片（パーツ片）の形状および個数ならびにそれらの接合方法）には様々なものがあり、本発明は特定の構造に限定されるものではなく、後述する技術的特徴を備えたものであれば、どのようなボクサーパンツの構造であっても、ボクサーパンツを構成する編地の種類、編地の型紙（編地片（パーツ片）の形状および個数）およびその編地の接合方法がどのようなものであっても基本的には構わない。そのため、以下に示すボクサーパンツ１００
およびボクサーパンツ２００の構造自体は単なる例示でしかない。
【００２１】
このボクサーパンツ１００およびボクサーパンツ２００が備える技術的特徴について説明する。なお、以下においては、ボクサーパンツ１００で代表させて説明する場合も、ボクサーパンツ２００で代表させて説明する場合もある。
このボクサーパンツ１００は、図１に示すように、ボクサーパンツ１００を着用した起立状態を腹側から見た場合に少なくとも中央部以外（膨出部Ｂ以外）は第１の方向（ストレッチラインＳに沿った方向）が斜め方向であり、ボクサーパンツ１００を着用した起立状態を背中側から見て第１の方向（ストレッチラインＳに沿った方向）が上下方向であることが技術的特徴である。ここで、このボクサーパンツ１００の着用状態でない平面上に載置した状態（商品としてのボクサーパンツ１００を広げて平面上に載置した状態）であっても、図２に示すように、ボクサーパンツ１００を腹側から見た場合に少なくとも中央部以外（膨出部Ｂ以外）は第１の方向（ストレッチラインＳに沿った方向）が斜め方向であり、背中側から見て第１の方向（ストレッチラインＳに沿った方向）が上下方向である。
【００２２】
すなわち、本発明においては、（１）ボクサーパンツ１００自体を見ただけで編地の方向（第１の方向および第２の方向）が視認できる場合、（２）ボクサーパンツ１００自体を見ただけでは編地の方向（第１の方向および第２の方向）を視認できず着用した状態で編地の方向が視認できる場合、の少なくともいずれかの場合で、このような技術的特徴が視認できれば構わない。たとえば、平面上に載置した状態のボクサーパンツ１００では第１の方向および第２の方向を明確には視認できなかったが、着用してみると第１の方向および第２の方向を明確に視認できる場合を想定することができる。
【００２３】
さらに、このボクサーパンツ１００において、腹側から見た第１の方向が、下腹部Ｕにおける斜め方向であり、背中側から見た第１の方向が、臀部Ｈにおける上下方向である。なお、このボクサーパンツ１００において、下腹部Ｕの下方または臀部Ｈの下方であって脚の上方部分である大腿部（より詳しくは右大腿部Ｒおよび左大腿部Ｌ）は太腿の付け根を覆う程度に短いが（脚部を長く覆うものではないが）、本発明に係る下半身用衣類においてはこの大腿部の長さは（脚部を備える場合には脚部の長さも）限定されるものではない。すなわち、ここでは、ボクサーパンツ１００は、タイツ等とは異なり、主として下腹部Ｕおよび臀部Ｈを覆い太腿部から足首部までの脚部を覆わないために、図１および図２に示すように、腹側から見た第１の方向が、下腹部Ｕにおける斜め方向であり、背中側から見た第１の方向が臀部Ｈにおける上下方向である。
【００２４】
ただし、このような太腿部から足首部までの脚部を全て覆うタイツや脚部の一部分のみを覆うガードル等を含めボクサーパンツ１００を含めた本発明に係る下半身用衣類における技術的特徴は、腹側から見た場合に少なくとも中央部以外（膨出部Ｂ以外）は第１の方向が、下腹部Ｕにおける斜め方向であり、背中側から見た第１の方向が、臀部Ｈにおける上下方向である。
【００２５】
そして、このボクサーパンツ１００は、図３（Ａ）に示すように、腹側から見た場合に中央部に位置して膨出部Ｂを形成する中央部編地１２０と、それ以外の部分を形成する編地１１０とを含み、図３（Ａ）において実線の両矢示で示すように１枚の編地１１０の編地端どうしで接合されているとともに１枚の編地１１０と中央部編地１２０とが接合されて、図３（Ａ）において点線の両矢示で示すように胴周りおよび左右の太腿周りで筒状になるように接合されている。
【００２６】
なお、膨出部Ｂを備えないボクサーパンツ２００の場合には、図３（Ｂ）に示すように、編地２１０（のみ）を含み（中央部編地を含まず）、図３（Ｂ）において実線の両矢示で示すように１枚の編地の編地端どうしで接合されて、図３（Ｂ）において点線の両矢示で示すように胴周りおよび左右の太腿周りで筒状になるように接合されている。
本実施の形態においては、この接合方法として縫合を採用しているが、本発明がこの縫合に限定されるものではない。すなわち、接合方法については特定の方法に限定されるものではなく、縫合（縫製による接合）であっても構わないし、接着であっても、さらに別の接合方法であっても構わない。ここでは、接合方法として縫合を用いて、図３に実線の
両矢印で示されるように編地を合わせて縫合することにより、このボクサーパンツ１００が形成されている。
【００２７】
ここで、接合方法として接着を用いる場合には、図３に実線の両矢印で示されるように編地を合わせて接着テープを用いて接合することによりこのボクサーパンツ１００を形成することができる。このような接着方法についても限定されるものではないが、帯状部材の一面に接着材が塗布された接着テープであって、加熱することにより接着材が溶融して生地を熱接着して接合するものが好ましい。なお、このように、この接合には、縫合によるもの、熱圧着によるもの、熱溶着によるもの、熱融着によるもの等を含むことになる。
【００２８】
このように、本実施の形態に係るボクサーパンツ１００およびボクサーパンツ２００においては、図３において実線で示す両矢印に示すように縫合されて胴周りおよび左右の太腿周りで筒状に形成されるとともに、立体化されて形成されている。
ここで、このボクサーパンツ１００における第１の方向（伸びやすく縮みやすい：地の目と略直交する方向）および第２の方向（伸びにくく縮みにくい：地の目方向）について図４を用いて説明する。ここでは、膨出部Ｂを備えないボクサーパンツ２００を代表させて説明するが、ボクサーパンツ１００も膨出部Ｂ以外は同じである。
【００２９】
第１の方向は、図４における太い直線の両矢印のうちの点線で示す方向であって、第２の方向は、図４における太い直線の両矢印のうちの実線で示す方向である。さらに、ウエストラインＷで示される胴周りは、必ずしも直線であることに限定されるものではないが（着圧や履き心地等の観点から通常は湾曲している）、背中側のウエストラインＷの中央部近傍を図４に示した１点鎖線で仮想した場合、背中側のウエストラインＷに対して第１の方向が略直交することになる。なお、この仮想した１点鎖線は、図４に示す点Ｐと点Ｑとを結んだ直線ＰＱとも略一致する直線であるとも言える。
【００３０】
型紙における地の目方向を上述した方向としたために、このボクサーパンツ２００におけるウエストラインＷは、腹側において斜め方向（第１の方向）に伸びやすく縮みやすく、背中側において第１の方向に略直交する伸びにくく縮みにくい第２の方向がウエスト周方向（胴周り方向）になる。
このため、ボクサーパンツ２００においてウエストラインＷにおける背中側は胴周り方向に伸びにくくなるのでウエスト部にゴム等でウエストバンド部を形成しなくてもよくなり、むやみにウエストを締め付けることにより履き心地が悪くなることを回避することができる。なお、本発明に係る下半身用衣類が、ウエスト部にゴム等のウエストバンド部を備えないものに限定されるわけではない。
【００３１】
さらに、ボクサーパンツ２００においてウエストラインＷにおける腹側は斜め方向（第１の方向）に伸びやすく縮みやすいために下半身の動きに対して柔軟に伸縮することができるのでボクサーパンツ２００が身体からずれることを抑制することができる。この作用効果は、腹側および背中側のウエスト周方向（胴周り方向）の全周において（第１の方向に略直交する伸びにくく縮みにくい）第２の方向をウエスト周方向（胴周り方向）としてしまうと実現し得ないものであり、このボクサーパンツ２００においては、背中側においてウエスト周方向（胴周り方向）に伸びにくく縮みにくくして、腹側において斜め方向に伸びやすく縮みやすくしたので、ウエストを締め付けることにより履き心地が悪くなることを回避しつつボクサーパンツ２００が身体からずれることを抑制することができる。
【００３２】
さらに、背中側において伸びやすく縮みやすい第１の方向がウエスト周方向（胴周り方向）と略直交する上下方向であるために、たとえば起立状態から座った状態に下半身を動かした場合に、臀部Ｈにおける上下方向がよく伸びるためにボクサーパンツ２００が身体からずれることを抑制することができる。
ここで、これらのボクサーパンツ１００およびボクサーパンツ２００を形成するヨコ編地は、限定されるものではないが、周縁を切りっぱなし仕様とされた編地で構成することも好ましい。また、周縁を切りっぱなし仕様とされたタテ編みの編地であっても構わない。本実施の形態に係るボクサーパンツ１００およびボクサーパンツ２００では綿ベアフライス編みの編地のポリウレタンを溶着した切りっぱなし仕様のヨコ編地を採用している。このヨコ編地は、周縁を切りっぱなし仕様（状態）のままで使用するために、熱融着性繊
維（たとえば、ポリウレタン繊維等の比較的に低融点の熱融着性繊維が好ましくここでは上述したようにポリウレタン）と該繊維よりも高融点の他の繊維（たとえば、綿、ポリエステル、ナイロン、ポリエチレン、キュプラ等の上述した熱融着性繊維よりも高融点の繊維が好ましくここでは上述したように綿）とを含み、予め、熱融着性繊維の融点以上で他の繊維の融点以下の温度で熱セットされて解れ止め処理されるのが好ましい。このように、解れないように周囲が周縁処理（パイピング処理）されていないために肌に直接触れても、履き心地がよいことに加えて、周縁処理のために形成された端部の折り返しの厚みがアウターの衣服に出てしまうこともない。
【００３３】
このように形成され上述した技術的特徴を備えたこのボクサーパンツ１００およびボクサーパンツ２００は、以下のような作用効果を発現することができる。
＜第１の作用効果＞
これらのボクサーパンツ１００およびボクサーパンツ２００におけるウエストラインＷは、腹側において斜め方向（第１の方向）に伸びやすく縮みやすく、背中側においてウエスト周方向（第２の方向）に伸びにくい。このため、背中側が胴周り方向に伸びにくいのでウエスト部にゴム等でウエストバンド部を形成しなくてもよくなるとともに、腹部は斜め方向に伸びやすく縮みやすいので、ボクサーパンツが身体からずれることを抑制することができる。
【００３４】
＜第２の作用効果＞
これらのボクサーパンツ１００およびボクサーパンツ２００における背中側の臀部は上下方向に伸びやすく縮みやすい。このため、起立状態から着座した場合に、臀部において編地が突っ張ってしまうことが発生しないのでスムーズに着座動作できるようになる。
＜第３の作用効果＞
これらのボクサーパンツ１００およびボクサーパンツ２００は、ボクサーパンツ１００の膨出部Ｂを除けば腹側に接合部を備え背中側に接合部を備えない。このため、背中側に接合線が全く存在せず、また他の部位においても接合線が少ないので、肌に直接触れても、履き心地がよい。
【００３５】
＜第４の作用効果＞
編地片に切りっぱなし仕様の緯編地を採用した場合には、肌に直接触れても、履き心地がよいことに加えて（肌ストレスと着圧とを低減）、周縁処理のために形成された端部の折り返しの厚みがアウターの衣服に出てしまうこともない。さらに、接合方法として（縫合ではなく）接着テープを採用した場合には、縫合線がないので、肌に直接触れても、履き心地のよく、肌ストレスと着圧とをさらに低減することができる。
＜変形例＞
以下において、図５〜図７を参照して、本発明の実施の形態の変形例に係るボクサーパンツ３００について説明する。なお、以下の説明においてはこの変形例に係るボクサーパンツ３００について、上述したボクサーパンツ１００またはボクサーパンツ２００と同じ構成については同じ符号を付している。それらの構造および機能は同じであるため、それらについてのここでの詳細な説明は繰り返さない場合がある。
【００３６】
図５（Ａ）はボクサーパンツ３００を着用した着用者の正面図（腹側から見た図）であって、図５（Ｂ）はその背面図（背中側から見た図）であって、図６（Ａ）はボクサーパンツ３００を平面に載置した状態における正面図であって、図６（Ｂ）はその背面図である。これらの図５および図６において伸縮性の大きい第１の方向は、仮想的に図示したストレッチラインＳに沿った方向である。さらに、図７はこのボクサーパンツ３００の型紙を示す平面図（紙面表面が肌に当接する面）である。ここで、図５が図１に、図６が図２に、図７が図３に、それぞれ対応する。
【００３７】
ここで、ボクサーパンツ３００とボクサーパンツ１００との差異は、ボクサーパンツ３００が膨出部Ｂ（中央部編地１２０に対応する中央部編地３２０により形成）に加えてシック部ＴＨ（股部編地３３０により形成）を備えるがボクサーパンツ１００がこのようなシック部ＴＨを備えない点である。このシック部ＴＨは、股部やクロッチ部と呼ばれ、股布やクロッチ布により形成される。なお、このシック部ＴＨも膨出部Ｂと同様に本発明に
係る下半身用衣類に必須の構成要件ではなく、シック部ＴＨを設ける場合には伸縮性の大きい第１の方向が、仮想的に図示したストレッチラインＳに沿った方向であっても構わないし、仮想的に図示したストレッチラインＳに略直交する方向であっても構わないし、他の方向であっても構わない。
【００３８】
そして、このボクサーパンツ３００は、図７に示すように、腹側から見た場合に中央部に位置して膨出部Ｂを形成する中央部編地３２０と、シック部ＴＨを形成する股部編地３３０と、それら以外の部分を形成する編地３１０とを含む。
中央部編地３２０は、２枚の生地片である中央部第１編地３２０Ａと中央部第２編地３２０Ｂとを１点鎖線の矢印で示すように合わせて縫合した後に白抜き矢印で折り返して二重折り返し部ＤＬを形成する。この二重折り返し部ＤＬは、ウエストラインＷの一部を形成する。
【００３９】
図７において、以下のように、編地３１０、中央部編地３２０および股部編地３３０が接合される。
編地３１０の点Ｐ（Ｍ０）と中央部編地３２０の点Ｐ（Ｂ０）とが重なり、かつ、編地３１０の点Ｐ（Ｍ１）と中央部編地３２０の点Ｐ（Ｂ１）とが重なるように（実線両矢印ＡＬ１）、
編地３１０の点Ｐ（Ｍ３）と中央部編地３２０の点Ｐ（Ｂ３）とが重なり、かつ、編地３１０の点Ｐ（Ｍ４）と中央部編地３２０の点Ｐ（Ｂ４）とが重なるように（実線両矢印ＡＬ２）、
編地３１０の点Ｐ（Ｍ５）と股部編地３３０の点Ｐ（ＴＨ５）とが重なり、かつ、編地３１０の点Ｐ（Ｍ６）と股部編地３３０の点Ｐ（ＴＨ６）とが重なるように（実線両矢印ＡＬ３）、
中央部編地３２０の点Ｐ（Ｂ１）と股部編地３３０の点Ｐ（ＴＨ１）とが重なり、かつ、中央部編地３２０の点Ｐ（Ｂ２）と股部編地３３０の点Ｐ（ＴＨ２）とが重なるように（実線両矢印ＡＬ４）、
中央部編地３２０の点Ｐ（Ｂ３）と股部編地３３０の点Ｐ（ＴＨ３）とが重なり、かつ、中央部編地３２０の点Ｐ（Ｂ２）と股部編地３３０の点Ｐ（ＴＨ２）とが重なるように（実線両矢印ＡＬ５）、
編地３１０の点Ｐ（Ｍ１）と股部編地３３０の点Ｐ（ＴＨ１）とが重なり、かつ、編地３１０の点Ｐ（Ｍ７）と股部編地３３０の点Ｐ（ＴＨ７）とが重なるように（実線両矢印ＡＬ６）、
編地３１０の点Ｐ（Ｍ３）と股部編地３３０の点Ｐ（ＴＨ３）とが重なり、かつ、編地３１０の点Ｐ（Ｍ８）と股部編地３３０の点Ｐ（ＴＨ８）とが重なるように（実線両矢印ＡＬ７）、編地端どうしで接合されているとともに、編地１１０と中央部編地１２０と股部編地３３０が接合されて、図７において点線の両矢示で示すように胴周りおよび左右の太腿周りで筒状になるように接合されている。
【００４０】
ここで、このボクサーパンツ３００における第１の方向（伸びやすく縮みやすい：地の目と略直交する方向）および第２の方向（伸びにくく縮みにくい：地の目方向）については、図４を用いて上述した説明と同じである。すなわち、このボクサーパンツ３００における第１の方向（伸びやすく縮みやすい：地の目と略直交する方向）および第２の方向（伸びにくく縮みにくい：地の目方向）は、膨出部Ｂおよびシック部ＴＨを備えないボクサーパンツ２００を代表させて説明した内容と同じである。
【００４１】
本変形例に係るボクサーパンツ３００によっても、上述した＜第１の作用効果＞、＜第２の作用効果＞、＜第３の作用効果＞および＜第４の作用効果＞を奏することができる。
以上のようにして、本実施の形態に係るボクサーパンツによると、主として腹部と臀部とを被覆する下半身用衣類の一例であるボクサーパンツにおいて、下半身の動きに対して追従しやすく履き心地のよいボクサーパンツを提供することができる。
【００４２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意
図される。
【産業上の利用可能性】
【００４３】
本発明は、腹部と臀部とを被覆するボクサーパンツ（ボクサーショーツ）、脚部の一部と腹部と臀部とを被覆するガードルまたはパンティ部を備えたタイツまたはストッキング等の下半身用衣類に好適であり、下半身の動きに対して追従しやすく履き心地のよい点で特に好適である。
【符号の説明】
【００４４】
１００  ボクサーパンツ（膨出部ありタイプ）
１１０  編地
１２０  中央部編地（膨出部を形成）
２００  ボクサーパンツ（膨出部なしタイプ）
２１０  編地（１枚でボクサーパンツを形成する編地）
３００  ボクサーパンツ（膨出部およびシック部ありタイプ）
３１０  編地
３２０  中央部編地（膨出部を形成）
３３０  股部編地（シック部を形成）
【図１】
2019112763.tif 000003
【図２】
2019112763.tif 000004
【図３】
2019112763.tif 000005
【図４】
2019112763.tif 000006
【図５】
2019112763.tif 000007
【図６】
2019112763.tif 000008
【図７】
2019112763.tif 000009
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
第１の方向と前記第１の方向と略直交する第２の方向とで伸縮性が異なる編地を用いた下半身用衣類であって、
前記第１の方向の伸縮性が前記第２の方向の伸縮性よりも大きく、前記第１の方向が前記第２の方向よりもよく伸びてよく縮み、
平面上に載置した前記下半身用衣類を腹側から見た場合に少なくとも中央部以外は前記第１の方向が斜め方向であり、
１枚の編地で左右下腹部および臀部を少なくとも被覆し、
腹側から見た場合に中央部に位置して膨出部を形成する中央部編地をさらに含み、
前記１枚の編地と前記中央部編地とが、胴回りが筒状になるように接合され、
平面上に載置した前記下半身用衣類を腹側から見た場合に少なくとも前記中央部編地は前記第１の方向が上下方向であることを特徴とする、下半身用衣類。
【請求項２】
第１の方向と前記第１の方向と略直交する第２の方向とで伸縮性が異なる編地を用いた下半身用衣類であって、
前記第１の方向の伸縮性が前記第２の方向の伸縮性よりも大きく、前記第１の方向が前記第２の方向よりもよく伸びてよく縮み、
前記下半身用衣類を着用した起立状態を腹側から見た場合に少なくとも中央部以外は前記第１の方向が斜め方向であり、
１枚の編地で左右下腹部および臀部を少なくとも被覆し、
腹側から見た場合に中央部に位置して膨出部を形成する中央部編地をさらに含み、
前記１枚の編地と前記中央部編地とが、胴回りが筒状になるように接合され、
前記下半身用衣類を着用した起立状態を腹側から見た場合に少なくとも前記中央部編地は前記第１の方向が上下方向であることを特徴とする、下半身用衣類。
【請求項３】
前記中央部編地は折り返して二重にした編地であることを特徴とする、請求項１または請求項２に記載の下半身用衣類。